(57)【要約】【課題】微調整時にゲージ本体に不要な外力を与えることがなく、微調整された目盛り板の位置が不用意に狂ってしまうことのない目盛り板微動機構を得るにある。【解決手段】目盛り板９を取付けた円形外枠６をゲージ本体１に対して回動可能に嵌め、ゲージ本体１に設ける指針４と前記目盛り板９との関係を微調整する目盛り板微動機構において、前記円形外枠６の開口エッジにクラウン歯１１を形成しておき、円形外枠６に臨んで前記ゲージ本体１に設けるつまみ１３と一体のピニオンギヤ１７を前記クラウン歯１１に噛合させて、前記目盛り板９と指針４との関係を微調節する目盛り板微動機構。【選択図】        図３
2004317274.tif 000002
【特許請求の範囲】
【請求項１】
目盛り板を取付けた円形外枠をゲージ本体に対して回動可能に嵌め、ゲージ本体に設ける指針と前記目盛り板との関係を微調整する目盛り板微動機構において、前記円形外枠の開口エッジにクラウン歯を形成しておき、円形外枠に臨んで前記ゲージ本体に設けるつまみと一体のピニオンギヤを前記クラウン歯に噛合させて、前記目盛り板と指針との関係を微調節することを特徴とする目盛り板微動機構。
【請求項２】
前記つまみはリターンスプリングにより突出方向に付勢された半径方向の支持軸の外端部に設けられ、同支持軸に設けられる前記ピニオンギヤはリターンスプリングに抗して前記支持軸が押圧されるとき前記クラウン歯に噛合されることを特徴とする目盛り板微動機構。
【発明の詳細な説明】
【０００１】
【発明の属する技術分野】
本発明は測定器の目盛り板微動機構に関し、特に、ダイヤルゲージやテストインジケータなどの目盛り板微動機構に関する。
【０００２】
【背景技術】
ダイヤルゲージやテストインジケータなどを用いた微小変位の測定においては、変位量を直読させるため、測定開始点での指針の位置に目盛りの”ゼロ”点位置を合わせることができる目盛り板微動機構を用いる場合が多い。
【０００３】
即ち、一般の目盛り板微動機構では、目盛り板を取付けた円形外枠をゲージ本体に対して回動可能に嵌め、外周面に形成したローレット部を指先で摘んで円形外枠をゲージ本体に対して相対的に回動し、同ゲージ本体に設ける指針と前記目盛り板との関係を微調整する。
【０００４】
【特許文献１】
実開昭６１−６７５０３号公報
【特許文献２】
実開昭６１−１４６７０４号公報
【特許文献３】
実公昭６２−３４２４１号公報
【特許文献４】
実開昭６２−１０４８５３号公報
【特許文献５】
実開昭６３−１１５７０１号公報
【特許文献６】
実開平１−５９８０２号公報
【特許文献７】
実公平８−６２４２号公報
【０００５】
【発明が解決しようとする課題】
このような特許文献１〜７の目盛り板微動機構においては、測定器スタンドに保持されたゲージ本体の周囲を覆う円形外枠をオペレータの手で直接に回転させることになるので、オペレータの手の力がゲージ本体や測定器スタンドに伝えられ、指針が振らついて目盛り板の微調整に手間取る場合が多かった。
【０００６】
また、従来の目盛り板微動機構では、外力を与え易いローレットが外枠の周面に形成されているため、同ローレットに指先などの異物が触れると、微調整された目盛り板の位置が狂ってしまう場合もあった。
【０００７】
本発明の目的は、以上に述べたような従来のダイヤルゲージやテストインジケータなどの目盛り板微動機構の実情に鑑み、微調整時にゲージ本体に不要な外力を与えることがなく、微調整された目盛り板の位置が不用意に狂ってしまうことのない目盛り板微動機構を得るにある。
【０００８】
【課題を解決するための手段】
この目的を達成するため、本発明は、目盛り板を取付けた円形外枠をゲージ本体に対して回動可能に嵌め、ゲージ本体に設ける指針と前記目盛り板との関係を微調整する目盛り板微動機構において、前記円形外枠の開口エッジにクラウン歯を形成しておき、円形外枠に臨んで前記ゲージ本体に設けるつまみと一体のピニオンギヤを前記クラウン歯に噛合させて、前記目盛り板と指針との関係を微調節する目盛り板微動機構を提案するものである。
【０００９】
後述する本発明の好ましい実施例の説明においては、前記つまみはリターンスプリングにより突出方向に付勢された半径方向の支持軸の外端部に設けられ、同支持軸に設けられる前記ピニオンギヤはリターンスプリングに抗して前記支持軸が押圧されるとき前記クラウン歯に噛合される構造が説明される。
【００１０】
【発明の実施の形態】
以下、図面について本発明の好ましい実施の態様を説明する。
図１から図３は本発明を施したダイヤルゲージＡを示し、このダイヤルゲージＡは、図示を省略する測定器スタンドに背面のブラケット１ａを固定できる円形のゲージ本体１を備え、この下部の中空ステム２には先端部３ａを被測定物の表面に当接できるスピンドル３が支持されている。
【００１１】
そして、前記ゲージ本体１の中心部には前記スピンドル３との間に設ける拡大歯車列（図示せず）により回動される指針４が組み込まれ、スピンドル３の移動量に応じて同指針４が回動される。
また、図３に拡大して示すように、前記ゲージ本体１の外周面には環状の案内溝５が形成され、ゲージ本体１を中心として回動できるように同案内溝５には円形外枠６の内周溝７中に位置されたオーリング８が嵌入してある。
【００１２】
図３に拡大して示すように、リング状に成形される円形外枠６の内部には前記指針４の回動角に対応したスピンドル３の移動量を示す目盛り板９が固定され、同目盛り板９の表面は指針４を収容できる空間を与えて防塵ガラス１０で覆われている。
また、前記円形外枠６の開口エッジには全周に亘るクラウン歯１１が形成され、このクラウン歯１１に臨むゲージ本体１の周壁部には半径方向の貫通孔１２が穿けられ、この貫通孔１２には指先で摘んで回転操作できるつまみ１３を外端部に有した半径方向の支持軸１４がその長さ方向に移動可能に支持される。
【００１３】
前記支持軸１４はゲージ本体１の内部のばね受け１５との間に介挿するリターンスプリング１６により一方向に押圧され、同支持軸１４の中間部には、リターンスプリング１６の力に抗してつまみ１３及び支持軸１４が押し進められたとき、前記クラウン歯１１に噛み合うことのできるピニオンギヤ１７が固定される。
なお、符号”１８”はゲージ本体１の外周面の周面溝１９に沿って移動できる置き針部材であり、この置き針部材１８は指先で操作できるロックネジ２０でゲージ本体１の周面の任意の位置に半固定状態におくことができる。
【００１４】
本発明を施したダイヤルゲージＡは、以上のような構造であるから、リターンスプリング１６の押圧力に抗して図３の矢印方向につまみ１３を押し進めることにより、支持軸１４と一体のピニオンギヤ１７がピニオンギヤ１７のクラウン歯１１に噛合する。
したがって、クラウン歯１１とピニオンギヤ１７との噛合状態を保ちながら、つまみ１３を摘んで回転させるだけで、円形外枠６及び目盛り板９を希望する任意の角度まで回動できるから、測定開始時の指針４の位置に目盛り板９の”ゼロ”点位置を簡単に合わせることができる。
【００１５】
この目盛り板９の微調整の場合、指先でつまみ１３を摘んで回転操作するので、ゲージ本体１にオペレータからの無理な力が伝達されるのを防止でき、したがって、円形外枠６の回動操作中に指針４が振れて目盛り板９を標準するのが困難になることがない。
【００１６】
また、つまみ１３から指先を離せば、リターンスプリング１６の付勢によりピニオンギヤ１７がクラウン歯１１から離脱され、つまみ１３と円形外枠６との間の力の伝達はなくなるから、つまみ１３に異物が触れたり、平滑な表面の円形外枠６に異物が触れて調整済みの目盛り板９の回動位置が狂ってしまうのを防げる。
【００１７】
図４及び図５は本発明を施したテストインジケータＢを示し、前述したダイヤルゲージＡと同一構造部分については同一符号を付して示してある。即ち、同テストインジケータＢのゲージ本体１には先端部を被測定物に当接できるプローブ２１が支持され、このプローブ２１の回動角が拡大されて指針が回動される。
【００１８】
勿論、テストインジケータＢの円形外枠６の開口エッジにはクラウン歯１１が形成され、つまみ１３と一体のピニオンギヤ１７が必要に応じて同クラウン歯１１に噛合されて、目盛り板９が回動操作されることになる。
【００１９】
【発明の効果】
以上の説明から明らかなように、本発明によれば、目盛り板の微調整時にあっては、リターンスプリングの力に抗して軽く押しながら、つまみを摘んで回転操作すればよいので、ゲージ本体に不要な外力を与えられることがないので、目盛り板の微調整時に指針が振れるのを阻止できるから、簡単に標準を合わせることができる。また、本発明の目盛り板微動機構では、必要時以外は、ピニオンギヤがクラウン歯から離脱されているため、異物がつまみに振れた場合でも、微調整された目盛り板の位置が不容易に狂ってしまうことがない。
【図面の簡単な説明】
【図１】本発明によるダイヤルゲージの正面図である。
【図２】同ダイヤルゲージの側面図である。
【図３】同ダイヤルゲージの要部拡大断面図である。
【図４】本発明によるテストインジケータの正面図である。
【図５】同テストインジケータの側面図である。
【符号の説明】
Ａ        ダイヤルゲージ
Ｂ        テストインジケータ
１        ゲージ本体
３        スピンドル
４        指針
６        円形外枠
９        目盛り板
１１      クラウン歯
１３      つまみ
１４      支持軸
１６      リターンスプリング
１７      ピニオンギヤ
【図１】
2004317274.tif 000003
【図２】
2004317274.tif 000004
【図３】
2004317274.tif 000005
【図４】
2004317274.tif 000006
【図５】
2004317274.tif 000007